(57)【要約】【課題】エアコンの小型化に十分に応えることができ、しかも、一方の面からの風を他方の面側に案内するとともに他方の面からの風を一方の面側に案内することができるエアコン用吹出モードドアを提供すること。【解決手段】エアコン用吹出モードドア８は、一方の面８８に主に冷風が流れかつ他方の面９０に主に温風が流れる位置をとり得るエアコン用吹出モードドアであり、一方の面８８と他方の面９０とを連通する複数の切欠部８６，８７を設けるとともに、各切欠部８６，８７に対応して一方の面８８及び他方の面９０にガイド部８９，９１を設け、一方の面８８に設けられたガイド部８９は、冷風を対応する切欠部８６へ案内し、他方の面９０に設けられたガイド部９１は、温風を対応する切欠部８７へ案内する。【選択図】図２
2004136707.tif 000002
【特許請求の範囲】
【請求項１】
一方の面に主に冷風が流れかつ他方の面に主に温風が流れる位置をとり得るエアコン用吹出モードドアにおいて、
前記一方の面と前記他方の面とを連通する複数の切欠部を設けるとともに、各切欠部に対応して前記一方の面及び前記他方の面にガイド部を設け、前記一方の面に設けられたガイド部は、冷風を対応する切欠部へ案内し、前記他方の面に設けられたガイド部は、温風を対応する切欠部へ案内することを特徴とするエアコン用吹出モードドア。
【請求項２】
前記一方の面側にフェイス吹出口が、前記他方の面側にフット吹出口がそれぞれ配置されることを特徴とする請求項１記載のエアコン用吹出モードドア。
【発明の詳細な説明】
【０００１】
【発明の属する技術分野】
本発明は、エアコン用吹出モードドア、詳しくは、空調装置において、熱交換後の空気が吹出される吹出口に配置されるエアコン用吹出モードドアに関する。
【０００２】
【従来の技術】
近年、エアコンは、車両搭載制約のため小型化が要求されており、この要請に応えるべく、冷房用熱交換器から暖房用熱交換器をバイパスしてきた冷風と、冷房用熱交換器から暖房用熱交換器を経てきた温風とをミックスするエアミックススペースの縮小化を図ると、冷風と温風が混ざりにくくなり、上下温度差が大きくなるという問題がある。
【０００３】
この問題を解決する手段として、フェイス吹出口とフット吹出口の両方を開放するバイレベル吹出モード時に、温風通路からの温風の一部をフェイス吹出口側に案内する温風ガイド通路と、同じくバイレベル吹出モード時に、冷風バイパス通路からの冷風の一部をフット吹出口側に案内する冷風ガイド通路を設けたエアコンが知られている（例えば特許文献１参照）。
【０００４】
しかし、上記の如きエアコンには、温風ガイド通路及び冷風ガイド通路を確保するための搭載スペースが必要となり、エアコンの小型化に十分に応えることができなくなるという問題がある。
【０００５】
また、従来、フェイス吹出口とデフ吹出口とを切替えるフェイス／デフ切替ドアに、矩形通風口とこの通風口の周囲に突出した堰部材を設け、フェイス吹出口を閉じる吹出モード時に、ケースの壁面に沿って流れてきた温風を堰部材によって堰き止めながら空調風の一部を通風口からサイドフェイス吹出口に供給するエアコンが知られている（例えば特許文献２参照）。
【０００６】
しかし、上記の如きエアコンは、フェイス／デフ切替ドアの一方の面からの風を他方の面側へ案内するだけであり、他方の面からの風を一方の面側へ案内することができない。
【０００７】
【特許文献１】
特開２０００−１６８３３８号公報（
【０００７】等、図４，５等）
【０００８】
【特許文献２】
特開平１１−３２１２８３号公報（
【００１０】等、図３等）
【０００９】
【発明が解決しようとする課題】
本発明は、上記のような従来技術の問題点を解決し、エアコンの小型化に十分に応えることができ、しかも、一方の面からの風を他方の面側に案内するとともに他方の面からの風を一方の面側に案内することができるエアコン用吹出モードドアを提供することを目的とする。
【００１０】
【課題を解決するための手段】
請求項１に係るエアコン用吹出モードドアは、一方の面に主に冷風が流れかつ他方の面に主に温風が流れる位置をとり得るエアコン用吹出モードドアにおいて、前記一方の面と前記他方の面とを連通する複数の切欠部を設けるとともに、各切欠部に対応して前記一方の面及び前記他方の面にガイド部を設け、前記一方の面に設けられたガイド部は、冷風を対応する切欠部へ案内し、前記他方の面に設けられたガイド部は、温風を対応する切欠部へ案内することを特徴とする。
【００１１】
請求項１に係るエアコン用吹出モードドアによると、ドア形状に工夫を施すことによって一方の面側の冷風に他方の面側の温風の一部をミックスさせるとともに他方の面側の温風に一方の面側の冷風の一部をミックスさせることができるようになるため、エアコンの小型化の要請に十分に応えながら良好なエアミックスを得ることが可能になる。
【００１２】
請求項１に係るエアコン用吹出モードドアは、例えば、バイレベル吹出モードを実現する吹出モードドアであり、前記一方の面側にフェイス吹出口が、前記他方の面側にフット吹出口がそれぞれ配置され、フェイス吹出口に温風の一部を案内し、フット吹出口に冷風の一部を案内して、エアミックスを行なう。
【００１３】
【発明の実施の形態】
以下、本発明の実施形態を図面に基づいて説明する。
【００１４】
図１は、本発明の一実施形態に係るエアコン用吹出モードドアが組み込まれた後席用エアコンユニットの断面図、図２は、上記エアコン用吹出モードドアの斜視図をそれぞれ示す。
【００１５】
図１において、１は、ハウジングを表しており、ハウジング１の内部に、空気をハウジング１内に吸い込み、吹出口（フェイス吹出口２、フット吹出口３）から吹出す送風機４が配置されている。送風機４の下流側には、冷房用熱交換器としてのエバポレータ５が配置されている。エバポレータ５は、周知のように冷凍サイクルを構成し、内部を流れる低温低圧の冷媒によって、外部を通過する空気を冷却するものである。エバポレータ５の下流側通路の一部に暖房用熱交換器としてのヒータコア６が配置されている。ヒータコア６は、周知のように、内部を流れるエンジン冷却水（温水）によって外部を通過する空気を加熱するものである。ヒータコア６の上流側には、エバポレータ５を通過した空気のうちヒータコア６を通過する空気とヒータコア６を迂回（バイパス）する空気の割合を調節するためのエアミックスドア７が配置されている。フェイス吹出口２及びフット吹出口３の手前には、フェイス吹出口２とフット吹出口３を切替開閉する吹出モードドア８が配置されている。吹出モードドア８は、フェイス吹出口２を閉じフット吹出口３を開放するフット吹出モードと、フット吹出口３を閉じフェイス吹出口２を開放するフェイス吹出モードと、フット吹出口３及びフェイス吹出口２の両方を開放するバイレベル吹出モードのいずれかの吹出モードに対応する位置を選択的にとり得る。
【００１６】
吹出モードドア８は、図２に示すように構成される。
【００１７】
図２において、吹出モードドア８は、シャフト部８１と本体部８２とから構成される。本体部８２は、板状の例えばポリプロピレン（ＰＰ）からなる中心母材８３の両面にパッキン８４，８５を配して構成される。本体部８２において、ハウジング１内の空気の流れ方向ａに対して上流側に位置するとともに流れ方向ａと直交する方向（軸方向）の両端に位置する一対の角部には、それぞれ切欠部８６，８７が設けられている。本体部８２の一方の面８８には、切欠部８６の周縁部における流れ方向ａの下流側の部位に、流れ方向ａとほぼ直交するように鍔状のガイド部８９が突設されており、このガイド部８９は、本体部８２の一方の面８８側の空気通路に向かって流れてくる空気の一部を、図２図示矢印Ａで示すように、切欠部８６に案内し本体部８２の他方の面９０側の空気通路へ導く働きをする。一方、本体部８２の他方の面９０には、上記ガイド部８９と同様なガイド部９１が突設されており、このガイド部９１は、本体部８２の他方の面９０側の空気通路に向かって流れてくる空気の一部を、図２図示矢印Ｂで示すように、切欠部８７に案内し一方の面８８側の空気通路へ導く働きをする。図１図示のエアコンユニットにおいて、本体部８２の一方の面８８は、フェイス吹出口２側に配され、他方の面９０は、フット吹出口３側に配される。
【００１８】
次に、上記のように構成される後席用エアコンユニットの動作を説明する。
【００１９】
送風機４が運転を開始すると、図示しない空気取入口から空気がハウジング１内に吸い込まれるようになる。ハウジング１内に吸い込まれた空気は、エバポレータ５を通過するときに、その内部を流れる低温低圧の冷媒によって冷却されて冷風となり、エバポレータ５からの冷風は、エアミックスドア７の位置に応じて、ヒータコア６に向かう冷風とヒータコア６をバイパスする冷風とに分かれ、ヒータコア６に向かった冷風はヒータコア６の内部を流れるエンジン冷却水（温水）によって加熱されて温風となり、一方、ヒータコア６をバイパスした冷風は冷風のまま流れる。
【００２０】
ヒータコア６からの温風は、フット吹出口３に向かって流れ、一方、ヒータコア６をバイパスした冷風は、フェイス吹出口２に向かって流れる。しかし、フェイス吹出口２とフット吹出口３の手前に吹出モードドア８が配置されているため、温風及び冷風は完全に分離されてフット吹出口３及びフェイス吹出口２から吹出されるようにはならず、吹出モードドア８がフェイス吹出口２を閉じてフット吹出口３を開放しているフット吹出モード時には、温風と冷風とがミックスした風であって、通常、エアミックスドア７が温風の割合を多くする位置にあることによる比較的暖かい風がフット吹出口３から吹出され、反対に、吹出モードドア８がフット吹出口３を閉じてフェイス吹出口２を開放しているフェイス吹出モード時には、上記と同様に温風と冷風とがミックスした風ではあるが、エアミックスドア７が冷風の割合を多くする位置にあることによる比較的冷たい風がフェイス吹出口２から吹出される。
【００２１】
吹出モードドア８が、フェイス吹出口２及びフット吹出口３を開放しているバイレベル吹出モード時には、吹出モードドア８の一方の面８８側の通路にはヒータコア６をバイパスした冷風が主に流れてフェイス吹出口２から吹出され、一方、吹出モードドア８の他方の面９０側の通路にはヒータコア６によって加熱された温風が主に流れてフット吹出口３から吹出される。ここで、上述したように吹出モードドア８には切欠部８６，８７及びガイド部８９，９１が設けられているため、吹出モードドア８の一方の面８８側の通路に流れ込んでくる冷風の一部は、ガイド部８９によって切欠部８６へ案内され他方の面９０側の通路に導かれるようになり、したがって、他方の面９０側の通路を流れる温風に冷風の一部が混ざるようになる。また、吹出モードドア８の他方の面９０側の通路に流れ込んでくる温風の一部は、ガイド部９１によって切欠部８７へ案内され一方の面８８側の通路に導かれるようになり、したがって、一方の面８８側の通路を流れる冷風に温風の一部が混ざるようになる。
【００２２】
このように、吹出モードドア８がバイレベル吹出モードのときには、切欠部８６，８７及びガイド部８９，９１によるエアミックス作用により、フェイス吹出口２から吹出される冷風は一部温風の混ざった冷風となり、また、フット吹出口３から吹出される温風は一部冷風の混ざった温風となり、切欠部８６，８７及びガイド部８９，９１を設けていない場合と比べ、フェイス吹出口２から吹出される冷風とフット吹出口３から吹出される温風との温度差が緩和され、快適さが向上する。
【００２３】
なお、上述した実施形態では、２組の切欠部８６，８７及びガイド部８９，９１を設けた場合を示したが、本発明はこれに限定されるものではなく、２組以上の切欠部及びガイド部であればよい。また、切欠部８６，８７及びガイド部８９，９１を設ける位置は、上記のような本体部８２の角部に限定されるものでなく、本体部８２の角部以外の下部や側面部（この場合、切欠部は貫通孔となる）に設けるようにしてもよい。また、切欠部８６，８７の形状は矩形に限定されるものでなく、丸形状、コ字形状など他の形状であってもよく、ガイド部８９，９１は、切欠部８６，８７の形状に応じた適宜の形状をとればよい。
【００２４】
以上説明したように、本実施形態に係るエアコン用吹出モードドア８は、一方の面８８に主に冷風が流れかつ他方の面９０に主に温風が流れる位置をとり得るエアコン用吹出モードドアにおいて、一方の面８８と他方の面９０とを連通する複数の切欠部８６，８７を設けるとともに、各切欠部８６，８７に対応して一方の面８８及び他方の面９０にガイド部８９，９１を設け、一方の面８８に設けられたガイド部８９は、冷風を対応する切欠部８６へ案内し、他方の面９０に設けられたガイド部９１は、温風を対応する切欠部８７へ案内する。このため、ドア形状に工夫を施すことによって一方の面８８側の冷風に他方の面９０側の温風の一部をミックスさせるとともに他方の面９０側の温風に一方の面８８側の冷風の一部をミックスさせることができるようになるため、エアコンの小型化の要請に十分に応えながら良好なエアミックスを得ることが可能になる。
【００２５】
【発明の効果】
本発明のエアコン用吹出モードドアによると、ドア形状に工夫を施すことによって一方の面側の冷風に他方の面側の温風の一部をミックスさせるとともに他方の面側の温風に一方の面側の冷風の一部をミックスさせることができるようになり、エアコンの小型化の要請に十分に応えながら良好なエアミックスを得ることが可能になる。
【図面の簡単な説明】
【図１】本発明の一実施形態に係るエアコン用吹出モードドアが組み込まれたエアコンユニットの断面図である。
【図２】エアコン用吹出モードドアの斜視図である。
【符号の説明】
２　　フェイス吹出口
３　　フット吹出口
８　　吹出モードドア
８１　　シャフト部
８２　　本体部
８６，８７　　切欠部
８８　　一方の面
８９　　ガイド部
９０　　他方の面
９１　　ガイド部
【図１】
2004136707.tif 000003
【図２】
2004136707.tif 000004